(57)【要約】【課題】電子機器が落下した場合に紛失を防止するための有効な通知を行なうこと。【解決手段】通知制御装置は、ユーザの周囲の状況を判別する周囲状況判別部と、ユーザが所有する電子機器に対する衝撃を検出する衝撃検出部と、衝撃が電子機器の落下によるものであるか否かを判定する落下判定部と、衝撃が落下によるものである場合、ユーザの周囲の状況に応じて通知方法を選択する通知方法選択部と、通知方法選択部で選択された通知方法で通知するように通知部を制御する通知制御部と、を備える。【選択図】図２
2020108124.tif 000002
【特許請求の範囲】
【請求項１】
ユーザの周囲の状況を判別する周囲状況判別部と、
前記ユーザが所有する電子機器に対する衝撃を検出する衝撃検出部と、
前記衝撃が前記電子機器の落下によるものであるか否かを判定する落下判定部と、
前記衝撃が落下によるものである場合、前記ユーザの周囲の状況に応じて通知方法を選択する通知方法選択部と、
前記通知方法選択部で選択された前記通知方法で通知するように通知部を制御する通知制御部と、
を備える、通知制御装置。
【請求項２】
前記通知方法選択部は、前記ユーザの位置情報に基づいて、前記通知方法を選択する、
請求項１に記載の通知制御装置。
【請求項３】
前記通知方法選択部は、前記電子機器が落下した際の、前記電子機器の利用状況に基づいて、前記通知方法を選択する、
請求項１または２に記載の通知制御装置。
【請求項４】
前記通知制御部は、外部の端末装置と通信する通信部と、音を出力する音声出力部と、光を発光する発光部との少なくとも１つを制御する、
請求項１から３のいずれか１項に記載の通知制御装置。
【請求項５】
前記通知制御部は、前記ユーザの周囲の状況に基づいて、前記通信部と、前記音声出力部と、前記発光部とを組み合わせて制御する、
請求項４に記載の通知制御装置。
【請求項６】
前記周囲状況判別部は、前記電子機器の落下直前における前記ユーザの動きが所定値よりも大きいか否かを判別し、
前記通知方法選択部が音声による通知を選択した場合であって、前記ユーザの動きが所定値よりも小さい場合、
前記通知制御部は、前記ユーザの動きが所定値以上の場合と比較して小さな音で通知するように前記通知部を制御する、
請求項１から５のいずれか１項に記載の通知制御装置。
【請求項７】
請求項１から６のいずれか１項に記載の通知制御装置を備える、電子機器。
【請求項８】
ユーザの周囲の状況を判別する周囲状況判別ステップと、
前記ユーザが所有する電子機器に対する衝撃を検出する衝撃検出ステップと、
前記衝撃が前記電子機器の落下によるものであるか否かを判定する落下判定ステップと、
前記衝撃が落下によるものである場合、前記ユーザの周囲の状況に応じて通知方法を選択する通知方法選択ステップと、
前記通知方法選択ステップで選択された前記通知方法で通知するように通知部を制御する通知制御ステップと、
を含む、通知制御方法。
【請求項９】
ユーザの周囲の状況を判別する周囲状況判別ステップと、
前記ユーザが所有する電子機器に対する衝撃を検出する衝撃検出ステップと、
前記衝撃が前記電子機器の落下によるものであるか否かを判定する落下判定ステップと、
前記衝撃が落下によるものである場合、前記ユーザの周囲の状況に応じて通知方法を選択する通知方法選択ステップと、
前記通知方法選択ステップで選択された前記通知方法で通知するように通知部を制御する通知制御ステップと、
をコンピュータに実行させるための、プログラム。
【発明の詳細な説明】
【技術分野】
【０００１】
本発明は、通知制御装置、電子機器、通知制御方法、およびプログラムに関する。
【背景技術】
【０００２】
携帯端末装置などの電子機器が落下したときに、警告音を鳴らすことで紛失を防止する技術が知られている（例えば、特許文献１）。
【先行技術文献】
【特許文献】
【０００３】
【特許文献１】特開２０００−３２１６７号公報
【発明の概要】
【発明が解決しようとする課題】
【０００４】
しかしながら、特許文献１に記載されているような技術では、例えば、周囲の騒音が大きな環境では、警告音を鳴らすことが最適な通知方法とならない可能性がある。そのため、電子機器が落下した場合に紛失を防止するための有効な通知方法が求められている。
【０００５】
本発明は、電子機器が落下した場合に紛失を防止するための有効な通知を行なうことのできる通知制御装置、電子機器、通知制御方法、およびプログラムを提供することを目的とする。
【課題を解決するための手段】
【０００６】
本発明の通知制御装置は、ユーザの周囲の状況を判別する周囲状況判別部と、前記ユーザが所有する電子機器に対する衝撃を検出する衝撃検出部と、前記衝撃が前記電子機器の落下によるものであるか否かを判定する落下判定部と、前記衝撃が落下によるものである場合、前記ユーザの周囲の状況に応じて通知方法を選択する通知方法選択部と、前記通知方法選択部で選択された前記通知方法で通知するように通知部を制御する通知制御部と、を備える。
【０００７】
本発明の電子機器は、本発明の通知制御装置を備える。
【０００８】
本発明の通知制御方法は、ユーザの周囲の状況を判別する周囲状況判別ステップと、前記ユーザが所有する電子機器に対する衝撃を検出する衝撃検出ステップと、前記衝撃が前記電子機器の落下によるものであるか否かを判定する落下判定ステップと、前記衝撃が落下によるものである場合、前記ユーザの周囲の状況に応じて通知方法を選択する通知方法選択ステップと、前記通知方法選択ステップで選択された前記通知方法で通知するように通知部を制御する通知制御ステップと、を含む。
【０００９】
本発明のプログラムは、ユーザの周囲の状況を判別する周囲状況判別ステップと、前記ユーザが所有する電子機器に対する衝撃を検出する衝撃検出ステップと、前記衝撃が前記電子機器の落下によるものであるか否かを判定する落下判定ステップと、前記衝撃が落下によるものである場合、前記ユーザの周囲の状況に応じて通知方法を選択する通知方法選択ステップと、前記通知方法選択ステップで選択された前記通知方法で通知するように通知部を制御する通知制御ステップと、をコンピュータに実行させる。
【発明の効果】
【００１０】
本発明によれば、電子機器が落下した場合に紛失を防止するための有効な通知を行なうことができる。
【図面の簡単な説明】
【００１１】
【図１】図１は、本実施形態に係る通知制御装置が適用される電子機器の一例を示す模式図である。
【図２】図２は、本実施形態に係る通知制御装置の構成の一例を示すブロック図である。
【図３】図３は、本実施形態に係る通知方法を設定する方法の一例を説明するための模式図である。
【図４】図４は、本実施形態に係る通知制御装置の処理の流れの一例を示すフローチャートである。
【図５】図５は、通知方法を選択する処理の流れの一例を示すフローチャートである。
【図６】図６は、ユーザの行動に関する情報を通知する処理の流れの一例を示すフローチャートである。
【発明を実施するための形態】
【００１２】
以下、添付図面を参照して、本発明に係る実施形態を詳細に説明する。なお、この実施形態により本発明が限定されるものではなく、また、実施形態が複数ある場合には、各実施形態を組み合わせて構成するものも含む。
【００１３】
＜実施形態１＞
図１を用いて、本発明の実施形態に係る電子機器の一例について説明する。図１は、本発明の電子機器の一例を示す図である。  
【００１４】
図１に示すように、本実施形態に係る電子機器１は、例えば、ワイヤレスヘッドホン１ａ、１ｂである。以下では、本実施形態に係る電子機器１は、ワイヤレスヘッドホン１ａ、１ｂであるものとして説明するが、これは例示であり、本発明を限定するものではない。本発明の実施形態の電子機器は、ユーザが持ち運び可能な小型の電子機器であってもよい。
【００１５】
図２を用いて、本実施形態に係る電子機器の構成について説明する。図２は、電子機器の構成の一例を示すブロック図である。
【００１６】
図２に示すように、電子機器１は、記憶部１０と、集音部２０と、加速度センサ３０と、位置情報測位部４０と、通知部５０と、通知制御装置（制御部）１００とを備える。
【００１７】
記憶部１０は、例えば、通知制御装置１００の各部を実現させるためのプログラムを記憶している。この場合、通知制御装置１００は、記憶部１０に記憶されているプログラムを展開して実行することで、各部の機能を実現する。記憶部１０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶装置で実現することができる。
【００１８】
集音部２０は、種々の音を集音する。集音部２０は、例えば、電子機器１の周囲の環境音を集音する。集音部２０は、例えば、通常のマイクロホンで実現することができる。集音部２０は、例えば、集音した環境音を音声情報として周囲状況判別部１１０に出力する。
【００１９】
加速度センサ３０は、電子機器１に作用する加速度を検出する。加速度センサ３０は、例えば、図１に図示されているような、Ｘ軸方向、Ｙ軸方向、およびＺ軸方向の加速度を検出する。なお、Ｘ軸、Ｙ軸、およびＺ軸は、それぞれ互いに直交する。加速度センサ３０は、例えば、検出した加速度を加速度情報として周囲状況判別部１１０に出力する。
【００２０】
位置情報測位部４０は、電子機器１の現在位置に関する情報を取得する。位置情報測位部４０は、例えば、ＧＰＳ（Global  Positioning  System）受信回路やＧＰＳ受信アンテナで実現することができる。この場合、位置情報測位部４０は、ＧＰＳ信号を受信する。位置情報測位部４０は、例えば、取得した電子機器１の現在位置に関する情報を、周囲状況判別部１１０に出力する。
【００２１】
通知部５０は、種々の情報をユーザに通知する。通知部５０は、例えば、電子機器１が落下した際に、電子機器１が落下したことをユーザに通知する。通知部５０は、例えば、電子機器１を落下したことなどで紛失した際に、電子機器１が落下した際のユーザの行動を含む状況をユーザに通知する。通知部５０は、例えば、通信部５１と、音声出力部５２と、発光部５３とを備える。
【００２２】
通信部５１は、図示しない有線又は無線ネットワークを介して外部の情報通信装置と情報通信を行なう。通信部５１は、例えば、通信制御部１６１の制御に従って、通知制御装置１００と、ユーザが所有する端末装置との間で情報通信を行なう。ここで、端末装置としては、ＰＣ（Personal  Computer）、スマートフォン、タブレット端末などを挙げることができるが、これらに限定されない。
【００２３】
音声出力部５２は、種々の音声を出力する。音声出力部５２は、例えば、音声制御部１６２の制御に従って、ユーザに種々の情報を通知するための音声を出力する。具体的には、音声出力部５２は、例えば、電子機器１が落下した際に、電子機器１が落下したことを通知するための音声を出力する。音声出力部５２は、例えば、通常のスピーカで実現することができる。
【００２４】
発光部５３は、種々の光を発光する。発光部５３は、例えば、発光制御部１６３の制御に従って、ユーザに種々の情報を通知するための光を発光する。具体的には、発光部５３は、例えば、電子機器１が落下した際に、電子機器１が落下したことを通知するための光を発光する。発光部５３は、例えば、ＬＥＤ（Light  Emitting  Diode）で実現することができる。
【００２５】
通知制御装置１００は、周囲状況判別部１１０と、バッファメモリ１２０と、衝撃情報取得部１３０と、落下判別部１４０と、通知方法選択部１５０と、通知制御部１６０とを備える。通知制御装置１００は、記憶部１０に記憶されているプログラムを展開して実行することで、各部の機能を実現する。通知制御装置１００は、例えば、ＣＰＵ（Central  Processing  Unit）を含む電子的な回路で実現することができる。
【００２６】
周囲状況判別部１１０は、電子機器１の周囲の状況を判別するための種々の情報を取得する。周囲状況判別部１１０は、例えば、集音部２０から音声情報を取得する。周囲状況判別部１１０は、例えば、加速度センサ３０から加速度情報を取得する。周囲状況判別部１１０は、例えば、位置情報測位部４０から現在位置情報を取得する。
【００２７】
周囲状況判別部１１０は、取得した情報に基づいて、電子機器１の周囲の状況を判別する。周囲状況判別部１１０は、例えば、音声情報に基づいて、周囲のノイズの大きさを判別する。
【００２８】
周囲状況判別部１１０は、例えば、加速度情報に基づいて、ユーザの行動を判別する。周囲状況判別部１１０は、例えば、加速度情報に基づいて、ユーザは歩いて移動しているか、走って移動しているか、自転車に乗って移動しているか、電車に乗って移動しているか、あるいは移動していないのかなどの移動状況を判別する。
【００２９】
周囲状況判別部１１０は、例えば、現在位置情報に基づいて、ユーザの現在位置を判別する。具体的には、周囲状況判別部１１０は、例えば、現在位置情報に基づいて、ユーザは自宅にいるか、職場にいるか、駅などの公共施設にいるかなどを判別する。
【００３０】
周囲状況判別部１１０は、例えば、所定の時間毎に連続して周囲状況を判別し、判別結果を記憶部１０に記憶する。記憶部１０は、新たな判別結果が記憶された場合、時間的に古い判別結果から順に消去又は上書きする構成とすればよい。
【００３１】
バッファメモリ１２０は、種々の情報を一時的に記憶する。バッファメモリ１２０は、周囲状況判別部１１０による判別結果を一時的に記憶する。
【００３２】
衝撃情報取得部１３０は、電子機器１に作用した種々の衝撃に関する情報を取得する。衝撃情報取得部１３０は、例えば、電子機器１に作用した衝撃に関する情報として、加速度センサ３０が検出した加速度情報を取得する。この場合、衝撃情報取得部１３０は、加速度情報を加速度センサ３０から直接取得してもよいし、記憶部１０に格納されている加速度情報を読み出してもよい。
【００３３】
落下判別部１４０は、電子機器１が落下したか否かを判別する。落下判別部１４０は、例えば、衝撃情報取得部１３０が取得した加速度情報に基づいて、電子機器１が落下したか否かを判別する。この場合、落下判別部１４０は、例えば、電子機器１に作用した加速度が所定の閾値を超えていた場合に、電子機器１が落下したと判定する。落下判別部１４０は、例えば、電子機器１に作用した加速度と、記憶部１０などに予め記憶された落下時の加速度とを比較することで、電子機器１が落下したか否かを判別する。落下判別部１４０は、電子機器１の落下を判別した際に、例えば、落下時の加速度に基づいて、電子機器１が落下して転がって移動した距離を算出する機能を有していてもよい。
【００３４】
通知方法選択部１５０は、ユーザに対する通知方法を選択する。通知方法選択部１５０は、周囲状況判別部１１０の電子機器１の周囲の状況の判別結果に基づいて、ユーザに対する通知方法を選択する。通知方法選択部１５０は、例えば、周囲状況に基づいて、音で通知するか、光で通知するか、ユーザの所有する端末装置に送信して通知するかを選択する。
【００３５】
通知方法選択部１５０は、例えば、周囲の騒音が比較的大きく、音声出力部５２からの音声が聴き取りづらいと判断される環境下であったり、音を鳴らせない環境下であったりする場合には、光による通知又は端末装置への送信による通知を選択する。この場合、通知方法選択部１５０は、光による通知と、端末装置への送信による通知との両方を選択してもよい。
【００３６】
通知方法選択部１５０は、例えば、屋外などの発光部５３を発光させても光を視認しづらいと判断される環境下では、音による通知又は端末装置への送信による通知を選択する。この場合、通知方法選択部１５０は、音による通知又は端末装置への送信による通知との両方を選択してもよい。
【００３７】
通知方法選択部１５０は、例えば、ユーザの移動状況や、時間帯に基づいて、通知方法を選択してもよい。通知方法選択部１５０は、例えば、昼では光のよる通知の優先度を低く、夜では光による通知の優先度を高くして通知方法を選択するようにしてもよい。通知方法選択部１５０は、例えば、ユーザが自転車に乗って移動していると判別された場合には、音による通知と、端末装置への送信による通知との両方を選択してもよい。通知方法選択部１５０は、例えば、ユーザが夜に自転車に乗って移動していると判別された場合には、光による通知と、端末装置への送信による通知との両方を選択してもよい。
【００３８】
通知方法選択部１５０は、例えば、場所に応じて通知方法が予め設定されている場合には、選択された通知方法を選択するようにしてもよい。
【００３９】
図３を用いて、場所に応じた通知方法を設定する方法の一例について説明する。図３は、通知方法を設定する方法の一例を説明するための模式図である。
【００４０】
図３には、現在位置と、通知方法とを対応付けた対応表が示されている。図３に示した位置は、電子機器１を落とした位置を意味している。
【００４１】
図３に示す例では、現在位置が自宅である場合には、第一通知方法が対応付けられている。現在位置が職場である場合には、第二通知方法が対応付けられている。現在位置が電車の中である場合には、第三通知方法が対応付けられている。
【００４２】
図３の場合、通知方法選択部１５０は、現在位置が自宅であると判別された場合には、通知方法として第一通知方法を選択する。通知方法選択部１５０は、現在位置が職場であると判別された場合には、通知方法として第二通知方法を選択する。通知方法選択部１５０は、現在位置が電車の中であると判別された場合には、第三通知方法を選択する。
【００４３】
ここで、第一通知方法と、第二通知方法と、第三通知方法とには、通知方法に関する各種の条件が含まれている。例えば、自宅であると判別された場合に選択される第一通知方法の場合、通知の際に周りに迷惑をかけるおそれが低いので、通知方法に特に制限はない。例えば、職場であると判別された場合に選択される第二通知方法や、電車であると判別された場合に選択される第三通知方法の場合、音を鳴らすと周りに迷惑をかけるおそれがあるため、通知方法として音による通知を設定しない。これにより、場所に応じて最適な通知方法が選択される。本実施形態では、ユーザは、例えば、第一通知方法と、第二通知方法と、第三通知方法とを任意に設定することができる。これにより、本実施形態は、ユーザがいる場所に応じて、ユーザの所望の方法で、通知を行なうことができる。
【００４４】
再び図２を参照する。通知方法選択部１５０は、通知方法を選択すると、選択情報として通知制御部１６０に出力する。
【００４５】
通知制御部１６０は、通知方法選択部１５０から受けた選択情報に従って、通知部５０を制御して、ユーザに通知を行なう。通知制御部１６０は、通信制御部１６１と、音声制御部１６２と、発光制御部１６３とを備える。
【００４６】
通信制御部１６１は、選択情報に従って、通信部５１を介してユーザの端末装置と情報通信を行なうことで、ユーザに通知を行なう。この場合、通信制御部１６１は、例えば、ユーザの端末装置に電子機器１が落下したことを示す文字信号を送信する。通信制御部１６１は、例えば、ユーザの端末装置に電子機器１が落下したことを示す音声信号を送信する。通信制御部１６１は、例えば、ユーザの端末装置に電子機器１が落下した際に、ユーザの端末装置を振動させるための振動信号を送信する。
【００４７】
通信制御部１６１は、電子機器１が落下する直前のユーザの行動に関する判別結果や、ユーザがいた場所に関する情報をユーザの端末装置に送信してもよい。通信制御部１６１は、例えば、電子機器１が落下した後、所定時間が経過し、電子機器１を紛失したと判断された場合に、電子機器１が落下する直前のユーザに関する情報をユーザの端末装置に送信すればよい。この場合、通信制御部１６１は、例えば、「Ａ駅のホームを走っていました」、「電車に乗って移動中でした」、「Ｂ店にいました」といった情報を通知すればよい。具体的には、所定時間経過したか否かについては、例えば、通知方法選択部１５０によって判定される。この場合、通知方法選択部１５０は、通信制御部１６１に対して、ユーザに関する情報をユーザの端末装置等の予め設定された通知先に送信する旨の制御信号を出力する。通信制御部１６１は、例えば、電子機器１が落下する直前のユーザに関する情報を記憶部１０から読み出せばよい。
【００４８】
音声制御部１６２は、選択情報に従って、音声出力部５２から音声を出力することで、ユーザに通知を行なう。この場合、音声制御部１６２は、例えば、音声出力部５２から警告音を出力してもよいし、「電子機器１が落下しました」といった音声を出力してもよい。
【００４９】
音声制御部１６２は、電子機器１が落下した場所に応じて、出力する音声を変更してもよい。音声制御部１６２は、例えば、周囲のノイズが比較的大きい場合には大きな音声を出力し、周囲のノイズが比較的小さい場合には小さな音声を出力してもよい。音声制御部１６２は、例えば、周囲のノイズにかき消されないように音声出力部５２から音声を出力してもよい。この場合、音声制御部１６２は、例えば、高周波数帯域のノイズが多い環境下では低周波数帯域の音声を出力し、低周波数帯域のノイズが多い環境下では高周波数帯域の音声を出力すればよい。音声制御部１６２は、例えば、電子機器１が落下して転がった距離に応じて出力する音声を変更してもよい。この場合、音声制御部１６２は、例えば、電子機器１が落下地点から所定距離以上転がって移動した場合には、音声を大きくして出力するようにすればよい。
【００５０】
音声制御部１６２は、電子機器１のユーザの使用状況に応じて、出力する音声を変更してもよい。音声制御部１６２は、例えば、ユーザの興味を引くような音声を出力するようにしてもよい。音声制御部１６２は、例えば、ユーザが電子機器１を利用して音楽を視聴していた場合には、電子機器１を落とした際に、その音楽の音を大きくして出力するようにしてもよい。音声制御部１６２は、例えば、電子機器１を落とした際に視聴していた音楽とは異なる同一ジャンルの音楽を出力するようにしてもよい。音声制御部１６２は、例えば、電子機器１を落とした際にユーザが好きな音楽や、好きな楽器の音などを出力するようにしてもよい。ユーザが好きな音楽は、例えば、電子機器１と接続された音楽プレイヤなどから再生履歴を取得して判断すればよい。
【００５１】
音声制御部１６２は、電子機器１のユーザの使用状況に応じて、出力する音声の音量を変更してもよい。音声制御部１６２は、例えば、電子機器１が落下する直前における加速度センサ３０の検出値が所定の閾値よりも小さい場合、ユーザは教室や電車内等にいると判別し、通知音量を小さくする。電子機器１が落下する直前における加速度センサ３０の検出値が所定の閾値以上の場合、ユーザは徒歩や自転車で移動中と判別し、通知音量を大きくする。
【００５２】
発光制御部１６３は、選択情報に従って、発光部５３を発光することで、ユーザに通知を行なう。この場合、発光制御部１６３は、例えば、発光部５３を継続的に発光させてもよいし、発光部５３を点滅して発光させてもよい。
【００５３】
図４を用いて、通知制御装置の処理について説明する。図４は、通知制御装置の処理の流れの一例を示すフローチャートである。
【００５４】
まず、通知制御装置１００は、電子機器１の周囲状況を判別する（ステップＳ１０１）。具体的には、通知制御装置１００は、周囲状況判別部１１０によって、電子機器１の周囲の状況を判別する。そして、通知制御装置１００は、ステップＳ１０２に進む。
【００５５】
次に、通知制御装置１００は、ステップＳ１０２において、電子機器１に作用した衝撃があるか否かを判定する。具体的には、通知制御装置１００は、衝撃情報取得部１３０によって、電子機器１に作用した衝撃の有無を判定する。
【００５６】
電子機器１に作用した衝撃が検出されなかった場合（ステップＳ１０２のＮｏ）、通知制御装置１００は、ステップＳ１０１に戻り上述の処理を実行する。一方、電子機器１に作用した衝撃が検出された場合（ステップＳ１０２のＹｅｓ）、通知制御装置１００は、ステップＳ１０３に進む。
【００５７】
次に、通知制御装置１００は、ステップＳ１０３において、ステップＳ１０２で検出された衝撃は電子機器１の落下によるものであるか否かを判定する。具体的には、通知制御装置１００は、落下判別部１４０によって、電子機器１の落下の有無を判定する。
【００５８】
電子機器１が落下していないと判別された場合（ステップＳ１０３のＮｏ）、通知制御装置１００は、ステップＳ１０１に戻り上述の処理を実行する。一方、電子機器１が落下したと判別された場合（ステップＳ１０３のＹｅｓ）、通知制御装置１００は、ステップＳ１０４に進む。
【００５９】
次に、通知制御装置１００は、ユーザに対して、電子機器１が落下したことを通知するための通知方法を選択する（ステップＳ１０４）。具体的には、通知制御装置１００は、通知方法選択部１５０によって、通知方法を選択する。そして、通知制御装置１００は、ステップＳ１０５に進む。
【００６０】
次に、通知制御装置１００は、選択された通知方法によって、電子機器１が落下したことをユーザに通知する（ステップＳ１０５）。具体的には、通知制御装置１００は、通知制御部１６０によってユーザに通知する。
【００６１】
図５を用いて、通知方法を選択する処理についてより詳細に説明する。図５は、通知方法を選択する処理の流れの一例を示すフローチャートである。
【００６２】
まず、通知制御装置１００は、ステップＳ２０１において、ユーザによって設定された通知方法があるか否かを判定する。具体的には、通知制御装置１００は、通知方法選択部１５０によって、ユーザによって設定された通知方法があるか否かを判定する。
【００６３】
ユーザによって設定された通知方法がある場合（ステップＳ２０１のＹｅｓ）、通知制御装置１００は、ステップＳ２０２に進み、設定された通知方法でユーザに通知する（ステップＳ２０２）。具体的には、通知制御装置１００は、通知制御部１６０によって設定された通知方法でユーザに通知する。
【００６４】
ユーザによって設定された通知方法がない場合（ステップＳ２０１のＮｏ）、通知制御装置１００は、ステップＳ２０３に進み、通知方法選択部１５０によって、周囲状況判別部１１０による判別結果に基づいて通知方法を選択する（ステップＳ２０３）。そして、通知制御装置１００は、ステップＳ２０４に進み、周囲状況に応じた通知方法でユーザに通知する（ステップＳ２０４）。
【００６５】
上述のとおり、本実施形態は、電子機器が落下した際の周囲の状況に応じた方法で、電子機器が落下したことを予め設定した通知先に通知することができる。これにより、ユーザは、電子機器が落下したことを、適切に把握することができる。従って、電子機器が落下した場合に紛失を防止するための有効な通知を行なうことができる。
【００６６】
＜実施形態２＞
実施形態２では電子機器１が落下した後、例えば、所定時間経過後に、電子機器１が落下した際のユーザの行動に関する情報を、予め設定した通知先に送信する。例えば、ユーザの端末装置を通知先として設定しておけばよい。実施形態２の電子機器１の構成は実施形態１と同様であるが、落下を検出した後の処理が異なる。
【００６７】
図６を用いて、本実施形態の通知制御装置の処理について説明する。図６は、通知制御装置の処理の流れの一例を示すフローチャートである。
【００６８】
ステップＳ３０１からステップＳ３０３の処理は、図４に図示のステップＳ１０１からＳ１０３の処理と同様なので説明は省略する。
【００６９】
電子機器１が落下したと判別された場合（ステップＳ３０３のＹｅｓ）、通知制御装置１００は、電子機器１が落下した時点の直前におけるユーザの行動を取得する（ステップＳ３０４）。具体的には、通知制御装置１００は、周囲状況判別部１１０によって、記憶部１０からユーザの行動に関する情報を取得する。そして、通知制御装置１００は、ステップＳ３０５に進む。
【００７０】
通知制御装置１００は、ステップＳ３０５において、電子機器１が落下してから所定時間経過したか否かを判定する。具体的には、通知制御装置１００は、通知方法選択部１５０によって、所定時間経過したか否かを判定する。
【００７１】
所定時間経過していない場合（ステップＳ３０５のＮｏ）、通知制御装置１００は、ステップＳ３０５の処理を繰り返す。一方、所定時間経過した場合には（ステップＳ３０５のＹｅｓ）、通知制御装置１００は、ステップＳ３０６に進む。
【００７２】
次に、通知制御装置１００は、取得したユーザの行動に関する情報を通知する（ステップＳ３０６）。具体的には、通信制御部１６１が通信部５１によって、ユーザに関する情報を、予め設定した通知先に送信することで通知する。
【００７３】
なお、本実施形態では、電子機器１に通知をキャンセルする機能を持たせてもよい。例えば、落下判定後に電子機器１が備えるボタンを押すと通知をキャンセルすることができる構成とする。通知方法選択部１５０は、電子機器１が落下したと判定してからキャンセルボタンが押されずに所定時間経過したか否かを判定する。通知キャンセルボタンを備えることで、落下直後にユーザが拾った場合等、紛失しなかった場合に無駄な通知をすることを防ぐことができる。
【００７４】
本実施形態では、電子機器が落下して紛失した際などに、電子機器が落下した時点の直前におけるユーザの行動を含む情報を、ユーザに通知することができる。これにより、ユーザは、電子機器が落下した際の状況を、適切に把握することができる。従って、電子機器が落下した場合に紛失を防止するための有効な通知を行なうことができる。
【００７５】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行なうことができる。
【符号の説明】
【００７６】
１  電子機器
１０  記憶部
２０  集音部
３０  加速度センサ
４０  位置情報測位部
５０  通知部
５１  通信部
５２  音声出力部
５３  発光部
１００  通知制御装置（制御部）
１１０  周囲状況判別部
１２０  バッファメモリ
１３０  衝撃情報取得部
１４０  落下判別部
１５０  通知方法選択部
１６０  通知制御部
１６１  通信制御部
１６２  音声制御部
１６３  発光制御部
【図１】
2020108124.tif 000003
【図２】
2020108124.tif 000004
【図３】
2020108124.tif 000005
【図４】
2020108124.tif 000006
【図５】
2020108124.tif 000007
【図６】
2020108124.tif 000008